(57)【要約】【課題】  スロットマシンなどで連続当たりが出たときに、コインを収納する千両箱状の箱であって、従来よりも少ないコイン数で、箱を満杯にするとともに、計数台への運搬や、計数器へのコインの投入等の作業を簡便かつ容易に行えるコイン箱を提供する。【解決手段】  コイン箱１を、上部が開口した箱本体２と、この箱本体２の内側に傾斜して設けられたコイン収納底部３と、このコイン収納底部３の坂下側の側壁５に開設された収納されたコインを外に放出するためのコイン放出口６と、このコイン放出口６を塞ぐ開閉自在の堰板７とで構成する。【選択図】図１
0003116843.tif 000002
【実用新案登録請求の範囲】
【請求項１】
上部が開口した箱本体と、
この箱本体の内側に傾斜して設けられたコイン収納底部と、
このコイン収納底部の坂下側の側壁に開設された収納されたコインを外に放出するためのコイン放出口と、
このコイン放出口を塞ぐ開閉自在の堰板と
からなることを特徴とするコイン箱。
【請求項２】
前記箱本体の前記コイン放出口側の内壁に前記堰板を上下方向に案内する案内部を設け、前記堰板の両側部に突出した顎部を設け、前記案内部の上端に、前記堰板を上方に摺動させると前記顎部が当たる止め部を設けたことを特徴とする請求項１記載のコイン箱。
【請求項３】
前記堰板の下部に突起部を設け、前記箱本体の底部に前記堰板の突起部が嵌る堰板底部側嵌り溝を設けてなることを特徴とする請求項１，２のいずれかに記載のコイン箱。
【請求項４】
前記堰板を横方向に摺動可能に設けてなることを特徴とする請求項１記載のコイン箱。
【請求項５】
前記堰板によって、前記コイン放出口が塞がれた状態において、前記堰板の前記コイン放出口内に位置する部位に指掛け部を設け、この指掛け部に指を掛けて前記堰板を摺動可能とすることを特徴とする請求項１〜４のいずれか１に記載のコイン箱。
【請求項６】
前記堰板を、前記コイン放出口が開く方向に摺動させることによって、前記コイン放出口が、略全開となることを特徴とする請求項１〜５のいずれか１に記載のコイン箱。
【考案の詳細な説明】
【技術分野】
【０００１】
本考案は、スロットマシンなどで遊技中に、当たりで放出されたコインを収納するいわゆる千両箱状のコイン箱に関する。
【背景技術】
【０００２】
従来、スロットマシンで当たりになると大量のコインが放出されるが、遊技客はコイン１千枚程度が入る小箱にコインをためていき、その小箱が１０箱程度を超えると、俗にドル箱とか千両箱とかいわれる数千枚から一万枚程度のコインを収納する大箱が店から提供され、連続大当たりとして、遊技客をひとときの爽快な気分にさせるなどの演出が行われている。この大箱は、通常、中空な直方体状になっている。
【考案の開示】
【考案が解決しようとする課題】
【０００３】
上述した千両箱等と称される大箱には、次のような問題があった。
小箱が１０箱も出るような連続大当たりは滅多には無く、遊技客にとって、いわゆるドル箱とか、千両箱とかに積むという爽快感が得られ難いものであった。
大箱の重量は５ｋｇ程度の重さとなるものも多く、遊技店の係員にとって、このように重い大箱を運んだり、計数台上へ持ち上げたり、大箱を返して計数器へコインを投入したりすることは重労働であるという欠点があった。特に、大箱の開口部を下側へ向ける作業において、手、手首、腕を大きく捻ることになるため、手、手首、腕を痛めがちであった。
また、コイン箱は、小型化すると千両箱のイメージにそぐわないため、千両箱と呼ばれるにふさわしい大きさが大切であった。
【０００４】
本考案は以上のような従来の千両箱状のコイン箱の欠点に鑑みてなされたものであって、その目的は、従来のコイン箱の大きさを変えることなく収納コイン量を略半分程度にするとともに、計数器へのコインの投入を簡単な軽作業で行えるコイン箱を提供することを目的としている。
【課題を解決するための手段】
【０００５】
上記目的を達成するために、請求項１に記載の考案は、コイン箱であって、上部が開口した箱本体と、この箱本体の内側に傾斜して設けられたコイン収納底部と、このコイン収納底部の坂下側の側壁に開設された収納されたコインを外に放出するためのコイン放出口と、このコイン放出口を塞ぐ開閉自在の堰板とからなることを特徴とする。
【０００６】
このような、いわゆる上げ底状にしたことにより、従来の千両箱の外観を変えることなく、コイン収納量を従来の半分（例えばコインが２５００枚程度）程度とすることができ、連続当たりが数回、といった程度の中当たりであっても、大箱を提供することができる。そのため、より多くの遊技客に対し、ひとときの爽快感に浸らせることができ、千両箱が店内の各所に出現し、非日常のエンタテイメント空間を演出できる。
また、重量が従来の略半分程度になり、この大箱を運ぶ係員にとっては、運搬作業や計数台への持ち上げ作業による負担が軽減される。
さらに、コイン収納部の底部が傾斜しているので、箱本体の底を上側に向けなくても、計数台にコイン箱を載せ、放出口を塞ぐ堰板を開方向に動かすだけで、放出口からコインの殆どを計数器に滑り落とすことができる。そのため、手首などへの負担の少ない軽作業を実現できる。
【０００７】
請求項２記載の考案は、請求項１記載の考案において、前記箱本体の前記コイン放出口側の内壁に前記堰板を上下方向に案内する案内部を設け、前記堰板の両側部に突出した顎部を設け、前記案内部の上端に、前記堰板を上方に摺動させると前記顎部が当たる止め部を設けたことを特徴とする。
「案内部」とは、以下の実施形態では、案内溝が該当する。
これにより、放出口を開状態とするために、堰板を上方に引き上げるとき、引き上げすぎて堰板が箱本体から外れるといったことがない。
【０００８】
請求項３記載の考案は、請求項１，２いずれかに記載の考案において、前記堰板の下部に突起部を設け、前記箱本体の底部に前記堰板の突起部が嵌る堰板底部側嵌り溝を設けてなることを特徴とする。
これにより、コインが、放出口から確実に放出される。
【０００９】
請求項４記載の考案は、請求項１記載の考案において、前記堰板を横方向に摺動可能に設けてなることを特徴とする。
このような引き戸構造を採用することにより、不用意に堰板が開いてしまうといったことを少なくできる。
【００１０】
請求項５記載の考案は、請求項１〜４いずれか１に記載の考案において、前記堰板によって、前記コイン放出口が塞がれた状態において、前記堰板の前記コイン放出口内に位置する部位に指掛け部を設け、この指掛け部に指を掛けて前記堰板を摺動可能とすることを特徴とする。
「指掛け部」とは、貫通穴や溝などのような外側から指を掛けることができるものをいう。
これにより、指掛け部に指を掛け、引いたり押したりして堰板の一部を突き出させ、その突き出た部分を掴み、堰板を、コイン放出口が全開状態になるまで引き出すことができる。そのため、コインが収納されている箱の内部に指を入れる必要がないので、コインで指を負傷したりする心配がない。
【００１１】
請求項６記載の考案は、請求項１〜５いずれか１に記載の考案において、前記堰板を、前記コイン放出口が開く方向に摺動させることによって、前記コイン放出口が、略全開となることを特徴とする。
これにより、コイン放出口の面積を広く確保できるので、コインを箱から一気に放出することができ、作業性が向上する。
【考案の効果】
【００１２】
本考案のコイン箱によれば、従来の大箱に比べ、半分程度の個数のコインによって、満杯になる。そのため、従来の中当たり程度であっても、大箱の提供ができるので、遊技客の気分を盛り立てることができる。また、このような大箱が、従来より一層多く遊技店内に出現することによって、店内の雰囲気が、より遊技店らしく、楽しげなものとなる。
コインが満杯状態になっても、その重量は従来の半分程度なので、遊技店員の労力を軽減できる。そのうえ、コイン収納空間の底が傾斜しているので、堰板を上下あるいは横方向に動かして放出口を開くだけで、コインを計数器に放出できる。そのため、遊技店員として、腕力に劣る女性や高齢者を雇用することもできる。
【考案を実施するための最良の形態】
【００１３】
以下、本考案を実施するための最良の形態を、図面を参照しつつ説明する。
但し、本考案をそれらに限定する趣旨のものではない。下記の実施の形態以外にも、種々の変形が可能である。しかし、その変形が実用新案登録請求の範囲に記載された技術思想に基づくものである限り、その変形は本考案の技術的範囲に含まれる。
【００１４】
＜第１の実施の形態＞
図１および図２に従い、第１の実施の形態を説明する。
コイン箱１は、上部が開口した桐製の箱本体２と、この箱本体２の内側に傾斜して設けられた板状部材からなるコイン収納底部３を設け、この底部３から上方に開口した空間が、コイン収納部４となる。
【００１５】
この傾斜したコイン収納底部３の坂下側の側壁５に開けられた、収納されたコインを外に放出するためのコイン放出口６と、このコイン放出口６を塞ぐ堰板７を有する。堰板７は、貫通穴あるいは溝からなる指掛け部８を有し、この指掛け部８を利用して、堰板７は、案内溝９に沿って上下方向に移動可能である。
【００１６】
側壁５と、これに対抗する側壁１０の外側には、保持把手１１ａ、１１ｂを設け、内側には、指掛け溝１２ａ、１２ｂを設け、コイン箱１を持ち上げる時に指掛け溝１２ａ、１２ｂに指を掛けるようにする。
【００１７】
図２に示すように、傾斜したコイン収納底部３は、箱本体２の底部１３から上方に位置する上げ底形態となっている。そのため、従来のコイン箱を利用した場合に比べ、少ない量のコインで、満杯となる。
【００１８】
コイン収納底部３は木製に限らず、アルミ板、ステンレス板など金属製でもよい。アルミやステンレスはコインの滑りがよいので、木製よりも、コイン収納底部３の傾斜を緩やかにすることができる。傾斜が緩やかになれば、コイン収納底部３の面積が小さくなるので、それだけ少ないコイン量で表面３ａを覆い隠すことができる。なお、金属板を使用する場合は音を抑えるためにゴム製部材などの制音材を裏面３ｂに貼り付けると良い。
【００１９】
コインでいっぱいになったコイン箱１は、通常指掛け溝１２ａ、１２ｂに指を掛けて計数器まで運ぶ。
計数器にコインを投入するためには、堰板７を引き上げるだけでよい。堰板７が引き上げられることによって、コイン放出口６が開状態になり、コイン放出口６に向かって下方に傾斜するコイン収納底部３の上に載っているコインが計数器上に滑り落ちる。
【００２０】
なお、図１、図２において、符号１４ａ、１４ｂで示すのはコイン箱１の脚部であり、これは省略可能である。また、符号１５で示すのは補強を兼ねた飾り金具であり、紋様を工夫したりすると、千両箱らしくなる。
箱本体２は、千両箱らしい雰囲気をかもし出すためには、桐を使用するのが好ましいが、他の木材でもよいことは言うまでもない。また、木製に限らず、金属やプラスチックを用いてもよい。
【００２１】
＜第２の実施の形態＞
次に、図３、図４に従い、第２の実施の形態について説明する。
なお、図中、第１の実施の形態と同一構成部分には同一符号を付して重複する説明を省略する。
【００２２】
この第２の実施の形態のコイン箱１６が、前記第１の実施の形態と異なる点は、まず、保持把手１１ａ、１１ｂの奥の側壁５，１０の一部に穴や溝を開けることにより、保持把手１１ａ、１１ｂの縁よりも凹ませて、保持把手１１ａ、１１ｂの奥縁部位に指が掛かるようにした指掛かり部１７ａ、１７ｂを形成したことである。
【００２３】
次に、放出口６の底部をコイン収納底部３と同じ角度で傾斜して形成し、コイン収納底部３とコイン放出口６との境部位に該放出口６と同じ幅の堰板下部側嵌り溝１８を設け、堰板１９の下部に、堰板下部側嵌り溝１８に嵌る突起部２０を設けたことが異なる。さらに、堰板１９を閉じた状態で、放出口６上に位置する貫通穴あるいは溝からなる指掛け部２１を設けた点にある。
【００２４】
コインが収納された状態でも、外側から指掛け部２１に指を掛け堰板１９を簡単に持ち上げることができる。堰板１９がある程度引き上げられたなら、指掛け部８に指を掛け、堰板１９をさらに引き上げればよい。
【００２５】
＜第３の実施の形態＞
次に、図５に従い、第３の実施の形態について説明する。
なお、図中、第１の実施の形態と同一構成部分には同一符号を付して重複する説明を省略する。
【００２６】
この第３の実施の形態のコイン箱２２が、前記第１の実施の形態と主に異なる点は、堰板２３を横方向に移動可能とした点にある。
堰板２３は、放出口６を塞いだ状態では側壁５と同じかそれより内側に入っており、堰板２３の中央付近に設けた指掛け部２４を利用してある程度引出してから、指掛け部２５に指を掛け引き出す。
【００２７】
＜第４の実施の形態＞
次に、図６に従い、第４の実施の形態について説明する。
なお、図中、第１の実施の形態と同一構成部分には同一符号を付して重複する説明を省略する。
【００２８】
この第４の実施の形態のコイン箱２６が、前記第１の実施の形態と主に異なる点は、堰板２７の両側に突き出した顎部２８ａ、２８ｂを有するとともに、案内溝２９ａ、２９ｂの上端に飾り金具１５の一部が被さるようにすることで、堰板２７の上方向への移動を規制する止め部３０ａ、３０ｂを形成した点である。
案内溝２９ａ、２９ｂに堰板２７を嵌め込んだ状態で、コイン放出口６が全開になるように堰板２７を引き上げると、堰板２７は、止め部３０ａ、３０ｂに顎部２８ａ、２８ｂが当たってそれ以上抜けないように止められる。
【００２９】
また、コイン放出口６が、コイン箱２６の側壁５の横側に略全開するので、コインが中途で掛かったりすることがなく、スムーズに放出できる。
【産業上の利用可能性】
【００３０】
本考案は家具や、遊技機関連の製品などを製造する産業などで利用される。
【図面の簡単な説明】
【００３１】
【図１】本考案の第１の実施形態の斜視図である。
【図２】図１のＶ−Ｖ線に沿った中央縦断面図である。
【図３】本考案の第２の実施形態の中央縦断面図である。
【図４】本考案の第２の実施形態の部分斜視図である。
【図５】本考案の第３の実施形態の斜視図である。
【図６】本考案の第４の実施形態の部分斜視図である。
【符号の説明】
【００３２】
１    コイン箱（第１の実施形態）
２    箱本体
３    コイン収納底部
４    コイン収納部
６    コイン放出口
７    （コイン箱１の）堰板
８    指掛け部
９    案内溝
１１ａ、１１ｂ    保持把手
１２ａ、１２ｂ    指掛け溝
１５    飾り金具
１６    コイン箱（第２の実施形態）
１７ａ、１７ｂ    指掛かり部
１８    堰板下部側嵌り溝
１９    （コイン箱１６の）堰板
２０    （堰板１９の）突起部
２１    （堰板１９の）指掛け部
２２    コイン箱（第３の実施形態）
２３    （コイン箱２２の）堰板
２４    （堰板２３の）指掛け部
２５    （堰板２３の）指掛け部
２６    コイン箱（第４の実施形態）
２７    （コイン箱２６の）堰板
２８ａ、２８ｂ    顎部
２９ａ、２９ｂ    案内溝
３０ａ、３０ｂ    止め部
【図１】
0003116843.tif 000003
【図２】
0003116843.tif 000004
【図３】
0003116843.tif 000005
【図４】
0003116843.tif 000006
【図５】
0003116843.tif 000007
【図６】
0003116843.tif 000008